【手続補正書】
【提出日】平成25年4月5日(2013.4.5)
【手続補正１】
【補正対象書類名】明細書
【補正対象項目名】発明の名称
【補正方法】変更
【補正の内容】
【発明の名称】インサート成形部品の製造方法及びインサート成形部品
【手続補正２】
【補正対象書類名】明細書
【補正対象項目名】０００１
【補正方法】変更
【補正の内容】
【０００１】
本発明は、インサート成形部品の製造方法及びインサート成形部品に関する。
【手続補正３】
【補正対象書類名】明細書
【補正対象項目名】０００６
【補正方法】変更
【補正の内容】
【０００６】
しかしながら、前記従来の光コネクタの製造方法では、二次成形工程の後に端子部５３の折り曲げ加工を行うため、端子部５３の折り曲げ部５３ａが二次成形部であるコネクタハウジング６０の外側に位置する。従って、端子部５３の折り曲げ部５３ａは固定されず、フリーな状態であるため、次工程や輸送時に衝撃が加わると端子部５３の折り曲げ部５３ａが変形する恐れがある。又、二次成形部であるコネクタハウジング６０の外側に突出している部分で加工を行うため、折り曲げ加工箇所がコネクタハウジング６０に近いと、加工難易度が高くなり、場合によっては加工できない恐れがある。
【手続補正４】
【補正対象書類名】明細書
【補正対象項目名】０００７
【補正方法】変更
【補正の内容】
【０００７】
そこで、本発明は、前記した課題を解決すべくなされたものであり、衝撃力が加わっても端子部の加工部が変形し難く、しかも、端子部の加工作業性が良いインサート成形部品の製造方法及びインサート成形部品を提供することを目的とする。
【手続補正５】
【補正対象書類名】明細書
【補正対象項目名】０００８
【補正方法】変更
【補正の内容】
【０００８】
請求項１の発明は、突出された端子部を有する内部部品を樹脂成形によって作製する一次成形工程を行い、前記一次成形工程の後に、前記端子部を加工して加工部を作製する端子加工工程を行い、前記端子加工工程の後に、前記内部部品をインサート成形の内部部品とし、且つ、前記加工部の外周を覆う二次樹脂成形部を樹脂成形によって作製する二次成形工程を行うことを特徴とするインサート成形部品の製造方法である。
【手続補正６】
【補正対象書類名】明細書
【補正対象項目名】０００９
【補正方法】変更
【補正の内容】
【０００９】
請求項２の発明は、請求項１記載のインサート成形部品の製造方法であって、前記端子加工工程は、前記端子部を折り曲げ加工して、前記加工部として折り曲げ部を形成する工程であることを特徴とするインサート成形部品の製造方法である。
【手続補正７】
【補正対象書類名】明細書
【補正対象項目名】００１０
【補正方法】変更
【補正の内容】
【００１０】
請求項３の発明は、請求項１又は請求項２に記載のインサート成形部品の製造方法であって、前記一次成形工程は、光トランシーバを作製する工程であり、前記二次成形工程は、前記二次樹脂成形部としてコネクタハウジングを作製する工程であることを特徴とするインサート成形の製造方法である。
請求項４の発明は、一次樹脂成形部及び、前記一次樹脂成形部から突出され、折り曲げ加工された折り曲げ加工部を有する端子部を有する内部部品と、前記折り曲げ加工部を覆う二次樹脂成形部とからなり、前記内部部品が前記二次樹脂成形部の内部部品とされることを特徴とするインサート成形部品である。
請求項５の発明は、請求項４に記載のインサート成形部品であって、前記二次樹脂成形部は、コネクタハウジングであり、前記端子部は、前記内部部品に接続される一方と反対側の他方が、前記コネクタハウジングの外に突出されていることを特徴とするインサート成形部品である。
請求項６の発明は、請求項４又は請求項５に記載のインサート成形部品であって、前記コネクタハウジングは、嵌合方向奥側に内部部品固定壁を有し、前記折り曲げ部は、前記内部部品固定壁内に配置されていることを特徴とするインサート成形部品である。
【手続補正８】
【補正対象書類名】明細書
【補正対象項目名】００１１
【補正方法】変更
【補正の内容】
【００１１】
請求項１の発明によれば、端子部の加工部が樹脂内に配置されるため、端子部に衝撃力を加わっても加工部が変形し難い。又、二次成形工程前に端子部に加工を施すため、二次樹脂成形部が未だ成形されていない状態、つまり、二次樹脂成形部の形状に影響されることなく端子部に加工でき、加工作業の難易度が低い。以上より、衝撃力が加わっても端子部の加工部が変形し難く、しかも、端子部の加工作業性が良い。
【手続補正９】
【補正対象書類名】明細書
【補正対象項目名】００１２
【補正方法】変更
【補正の内容】
【００１２】
請求項２の発明によれば、請求項１の発明の効果に加え、二次成形工程前に端子部に折り曲げ加工を施すため、二次樹脂成形部が未だ成形されていない状態、つまり、二次樹脂成形部の形状に影響されることなく折り曲げ加工でき、加工作業の難易度が低い。以上より、衝撃力が加わっても端子部の折り曲げ部が変形し難く、しかも、端子部の加工作業性が良い。
【手続補正１０】
【補正対象書類名】明細書
【補正対象項目名】００１３
【補正方法】変更
【補正の内容】
【００１３】
請求項３の発明によれば、請求項１又は請求項２の発明の効果に加え、一次成形工程では、光コネクタの構成部品である光トランシーバを作製でき、二次成形工程ではコネクタハウジングを作製できるため、最終的に光コネクタを作製できる。
【手続補正１１】
【補正対象書類名】明細書
【補正対象項目名】００１９
【補正方法】変更
【補正の内容】
【００１９】
各光トランシーバ２０は、光トランシーバ固定壁７に固定され、下記する集光レンズ１０が光ファイバ位置決め部６の内部に突出された状態で配置されている。各光トランシーバ２０は、図２に詳しく示すように、リードフレーム２１と、このリードフレーム２１上に配置されたセラミックス基板２２と、このセラミックス基板２２上に配置された光電変換素子２３と、リードフレーム２１、セラミックス基板２２及び光電変換素子２３の外周に配置され、これらの部材を固定する一次樹脂成形部である樹脂成形部２４とを備えている。
【手続補正１２】
【補正対象書類名】明細書
【補正対象項目名】００２３
【補正方法】変更
【補正の内容】
【００２３】
樹脂成形部２４は、リードフレーム２１の外周を覆うベース部２４ａと、このベース部２４ａより上方に突出された突出部２４ｂと、この突出部２４ｂの上端に設けられた集光レンズ１０とから成り、これらが光伝搬可能な樹脂材により一体に形成されている。
【手続補正１３】
【補正対象書類名】明細書
【補正対象項目名】００３１
【補正方法】変更
【補正の内容】
【００３１】
１  光コネクタ（インサート成形部品）
２  コネクタハウジング（二次樹脂成形部）
７ 光トランシーバ固定壁（内部部品固定壁）
２０  光トランシーバ（内部部品）
２１  リードフレーム
２４  樹脂成形部（一次樹脂成形部）
２６  端子部
２６ａ  折り曲げ部（加工部）
【手続補正１４】
【補正対象書類名】特許請求の範囲
【補正対象項目名】全文
【補正方法】変更
【補正の内容】
【特許請求の範囲】
【請求項１】
突出された端子部を有する内部部品を樹脂成形によって作製する一次成形工程を行い、
前記一次成形工程の後に、前記端子部を加工して加工部を作製する端子加工工程を行い、
前記端子加工工程の後に、前記内部部品をインサート成形の内部部品とし、且つ、前記加工部の外周を覆う二次樹脂成形部を樹脂成形によって作製する二次成形工程を行う、
ことを特徴とするインサート成形部品の製造方法。
【請求項２】
請求項１記載のインサート成形部品の製造方法であって、
前記端子加工工程は、前記端子部を折り曲げ加工して、前記加工部として折り曲げ部を形成する工程である、
ことを特徴とするインサート成形部品の製造方法。
【請求項３】
請求項１又は請求項２に記載のインサート成形部品の製造方法であって、
前記一次成形工程は、光トランシーバを作製する工程であり、
前記二次成形工程は、前記二次樹脂成形部としてコネクタハウジングを作製する工程である、
ことを特徴とするインサート成形部品の製造方法。
【請求項４】
一次樹脂成形部及び、前記一次樹脂成形部から突出され、折り曲げ加工された折り曲げ加工部を有する端子部を有する内部部品と、
前記折り曲げ加工部を覆う二次樹脂成形部とからなり、
前記内部部品が前記二次樹脂成形部の内部部品とされる、
ことを特徴とするインサート成形部品。
【請求項５】
請求項４に記載のインサート成形部品であって、
前記二次樹脂成形部は、コネクタハウジングであり、
前記端子部は、前記内部部品に接続される一方と反対側の他方が、前記コネクタハウジングの外に突出されている、
ことを特徴とするインサート成形部品。
【請求項６】
請求項４又は請求項５に記載のインサート成形部品であって、
前記コネクタハウジングは、嵌合方向奥側に内部部品固定壁を有し、
前記折り曲げ部は、前記内部部品固定壁内に配置されている、
ことを特徴とするインサート成形部品。